(57)【要約】      （修正有）【課題】万華鏡の表示と合わせて水中生物の多様な動きを観賞する装置を提供する。【解決手段】ボックス本体１、観賞装置２とからなり、該ボックス本体１は観賞用の水中生物を収容する収納スペース１０を具え、観賞装置２は該ボックス本体１に沿って配置された定位部品２０に支持固定された万華鏡２１を具える。該万華鏡２１の対物側の透視部２１２を水中生物の収容された上記収納スペース１０に向けて配置し、万華鏡２１の他端の鑑賞部２１１となる接眼部から覗くことにより、万華鏡２１に見える映像と併せて上記収納スペース１０中を遊泳する水中生物の映像を重ねてそれらの変化を鑑賞することができる。【選択図】図１
0003182369.tif 000002
【実用新案登録請求の範囲】
【請求項１】
ボックス本体、観賞装置からなり、
該ボックス本体は水中生物の収納スペースを形成し、
該観賞装置は、ボックス本体の側方に位置して配置される定位部品及び該定位部品に支持される万華鏡からなり、
該万華鏡は、定位部品と接続して支持される筒本体及び筒本体のそれぞれ両端に設けられた接眼部である観賞部及び対物側である透視部を具え、
該透視部を上記水中生物の収納スペースに相対して配置した、
ことを特徴とする万華鏡の表示と合わせて水中生物の多様な動きを観賞する装置。
【請求項２】
前記ボックス本体は、透明な材料からなる水槽であることを特徴とする請求項１記載の万華鏡の表示と合わせて水中生物の多様な動きを観賞する装置。
【請求項３】
前記ボックス本体は、透明の素材からなることを特徴とする請求項１記載の万華鏡の表示と合わせて水中生物の多様な動きを観賞する装置。
【請求項４】
前記ボックス本体は、円形或いは方形の形状であることを特徴とする請求項１記載の万華鏡の表示と合わせて水中生物の多様な動きを観賞する装置。
【請求項５】
該定位部品は、ボックス本体を載置する台座上に設置された固定スタンド及び固定スタンドの一端に設置されて前記筒本体と接続する接合部からなることを特徴とする請求項１記載の万華鏡の表示と合わせて水中生物の多様な動きを観賞する装置。
【請求項６】
前記接合部は、筒本体に対してスライド可能に嵌合するスリットとすることを特徴とする請求項５記載の万華鏡の表示と合わせて水中生物の多様な動きを観賞する装置。
【請求項７】
前記定位部品は、ボックス本体に対して照明装置を設置したことを特徴とする請求項５記載の万華鏡の表示と合わせて水中生物の多様な動きを観賞する装置。
【請求項８】
前記定位部品は、前記水中生物の収納スペースを設けたボックス本体を収容すると共に、該収納スペースに向けて万華鏡を設置する設置穴を設けたことを特徴とする請求項１記載の万華鏡の表示と合わせて水中生物の多様な動きを観賞する装置。
【請求項９】
前記定位部品は、水中生物の収納スペースに向けて照明装置を設置したことを特徴とすることを特徴とする請求項８記載の万華鏡の表示と合わせて水中生物の多様な動きを観賞する装置。
【請求項１０】
前記ボックス本体の下方にキャビネットを設置したことを特徴とする請求項８記載の万華鏡の表示と合わせて水中生物の多様な動きを観賞する装置。
【考案の詳細な説明】
【技術分野】
【０００１】
本考案は、万華鏡の表示と合わせて水中生物の多様な動きを観賞できる装置であり、特に水槽で飼う水中生物と、透視できる万華鏡を使って、動態的な美観及び映像で多変する効果を観賞できることを特徴とする万華鏡の表示と合わせて水中生物の多様な動きを観賞する装置に関する。
【背景技術】
【０００２】
従来技術の万華鏡は、筒内に固定している色彩片或いは飾りボードなどが絶えず回転し、光が動きを照射する際に生じる屈折により様々な色彩模様を醸し出す。しかし、筒内に固定している色彩片或いは飾りボードが作り出す変化は比較的シンプルで単調なものが多く、新しいものを好む人にとって、すぐに飽きてしまうため、透視できる万華鏡を案出した人がおり、目に入る色彩と異なる形状により、見える映像も豊富なものとなる。
【０００３】
しかし、人々が飼う観賞用の魚は、水中で自由自在に泳ぐだけで、目で水中にいる魚たちの泳ぐ姿を見て位置が変化するのを楽しむだけである。多様多彩且つゴージャスで華やかな色合いと形であるが、いずれでも比較的単調で新鮮味がないことを鑑みて、更なる改善が必要であった。
【先行技術文献】
【特許文献】
【０００４】
【特許文献１】特開２００１−９１８９３号公報
【考案の概要】
【考案が解決しようとする課題】
【０００５】
前記公知装置の欠点を解決するため、本考案は水中生物の動き及び透視できる万華鏡を結合することで、動態的な美観及び映像が多変する効果を持つ、万華鏡の表示と合わせて水中生物の多様な動きを観賞する装置を提供することを主な課題とする。
【課題を解決するための手段】
【０００６】
上述の目的を解決するために、本考案は万華鏡の表示と合わせて水中生物の多様な動きを観賞する装置の装置を提供するものである。
【０００７】
該ボックス本体は水中生物の収納スペースを形成し、該観賞装置は、ボックス本体のサイドにある定位部品及び該定位部品と接続する万華鏡から構成される。該万華鏡は、定位部品と接続する筒本体及びそれぞれ筒本体の両端に設置する観賞部及び透視部を具える。
【０００８】
本考案は、ボックス本体の収納スペースに様々な色とりどりの水中生物(観賞魚など)を飼い、更にボックス本体サイドと接続する定位部品を使って万華鏡を固定することで、任意に万華鏡の位置を調整することができるため、ユーザーが該万華鏡をベストポジションに調整しやすくなる。また、水中生物自体が自由に泳ぐことにより、透視できる万華鏡の観賞部を通じて見ることができる。ユーザーは該万華鏡を全く手で持つ必要及び回転することなく、簡単に水中生物の多様な動き及び変化を観賞することができる。
【０００９】
この他、該定位部品は照明装置を設置することにより、該照明装置が発する光源は水槽の上を照射するため、水中生物を観賞する際に、更に明るくすることができる。更に、水槽内の生物はユーザーの好みの色、或いは水中生物及びライトの種類に基づき変化をすることができ、癒しのある写意で自然な画面を作り出す。
【考案の効果】
【００１０】
本考案はボックス本体及び観賞装置を設置し、ボックス本体内に多くの水中生物を飼い、更に透視できる万華鏡を使って観賞をすると、水中生物が持つ色鮮やかな色彩とそれらが自ら泳ぎ回ることにより、万華鏡の観賞部を通じて見る映像が多変し、及び動態的な美観のあるビジュアル効果を持つ。
【図面の簡単な説明】
【００１１】
【図１】本考案における第一実施例の立体分解図である。
【図２】本考案における第一実施例の立体組立図である。
【図３】本考案における第一実施例の立体実施図である。
【図４】本考案を用いて万華鏡を見る略図である。
【図５】本考案の第一実施例に照明装置を付ける略図である。
【図６】本考案の第一実施例の水槽形状を変更する略図である。
【図７】本考案における第二実施例の略図である。
【図８】本考案の第二実施例に照明装置を設置する略図である。
【図９】本考案の第二実施例にキャビネットを増設する略図である。
【図１０】本考案の第二実施例の実施略図である。
【考案を実施するための形態】
【００１２】
本考案による万華鏡の表示と合わせて水中生物の多様な動きを観賞する装置の装置を明確に示すために、以下、図に沿って詳細な説明を行う。
【００１３】
図１及び図２を参照。
【００１４】
図に示すように、本考案の万華鏡の表示と合わせて水中生物の多様な動きを観賞する装置は、ボックス本体１及び観賞装置２から構成される。
【００１５】
該ボックス本体１は、収納スペース１０を形成し、該ボックス本体１とは透明な容器からなる水槽である。
該観賞装置２を構成するのは、ボックス本体１の側面に位置する定位部品２０及び該定位部品２０に支持される万華鏡２１である。該万華鏡２１は、定位部品２０と接続する筒本体２１０及び筒本体２１０の両端にそれぞれ設置する接眼部である観賞部２１１及び対物側の透視部２１２を具える。
【００１６】
このほか、該定位部品２０は、ボックス本体１を載置する台座２００（図５参照。）上に立設する固定スタンドを構成し、その一端に筒本体２１０と接続する接合部２０２を具え、該接合部２０２は本体２１０の嵌合部が嵌合してスライド可能に支持する嵌合スリットとする。
【００１７】
図３及び図４を参照。
【００１８】
図に示すように、本考案の万華鏡の表示と合わせて水中生物の多様な動きを観賞する装置は、ボックス本体１の収納スペース１０中に様々な色とりどりの水中生物(観賞魚など)を飼い、更に、万華鏡２１の筒本体２１０を定位部品２０の接合部２０２により支持固定する。任意に該接合部２０２の位置をスライドして調整できることで、ユーザーが該万華鏡２１をベストポジションに調整しやすくなる。また、水中生物自体が自由に泳ぐ状態を万華鏡２１の接眼部となる観賞部２１１の筒本体２１０及び透視部２１２を通じて見ることができる。ユーザーは該万華鏡を全く手で持つ必要なく、また回転操作することなく、簡単に水中生物の多様な動き及び変化を観賞することができる。
【００１９】
よって、ユーザーが異なるタイプの万華鏡２１に交換したい場合、該万華鏡２１を接合部２０２から外し、異なる種類或いは長さの万華鏡２１と交換して異なる万華鏡の表示及び変化を表す特別な効果を見ることができる。
【００２０】
図５を参照。
【００２１】
図に示すように、該台座２００に照明装置３を設置することにより、該照明装置３が発する光をボックス本体１の上方を照射する。本考案に拠れば光源はボックス本体内１で飼う水中生物に光を当て、観賞者も光源を得て見やすい。更に、ライトの種類に応じて水槽内の生物をユーザーの好みの色に変換することができ、癒しのある写意で自然な画面を作り出す。
【００２２】
図６を参照。
【００２３】
図に示すように、本考案のボックス本体１は円形或いは方形など、異なる形状にすることができ、また、取り外して交換することにより外観を更に美化できてクリエイティブとなる。
【００２４】
図７を参照。
【００２５】
本考案の第二実施例として、万華鏡を支持する定位部品として図に示すようにボックス本体を収容する構造の定位部品５とし、万華鏡の支持固定手段として設置穴５０をボックス本体４の両サイドに設置することもできる。
【００２６】
図８を参照。
【００２７】
図に示すように、該定位部品５の上に照明装置６を設置することにより、該照明装置６による照明効果により、水槽４内の水中生物を観賞することができる。
【００２８】
図９を参照。
【００２９】
図に示すように、本考案の第二実施例では、ボックス本体４の下方にキャビネット７を設置し、該キャビネット７によりボックス本体４は観賞するのに適切な高さと角度に置くことができるほか、物品を収納及び美観などの効果を持つ。
【００３０】
図１０を参照。
【００３１】
図に示すように、本考案の第二実施例は該万華鏡２１の筒本体２１０を前記ボックス本体を収容した該定位部品５の設置穴５０に設置し、同時に万華鏡２１の見る方向の位置を調整することができる。手で万華鏡２１を持たなくても、動きのある映像の変化を見ることができる。
【００３２】
このほか、水槽中に最新バイオテクノロジーの成果とされる「蛍光魚」を入れれば、暗い場所で見ると、花火のような動きのある美しいビジュアル効果を得ることができる。
【符号の説明】
【００３３】
１  ボックス本体
１０  収納スペース
２  観賞装置
２０  定位部品
２００  台座
２０２  接合部
２１  万華鏡
２１０  筒本体
２１１  観賞部
２１２  透視部
２２  設置穴
３  照明装置
４  ボックス本体
５  定位部品
５０  設置穴
６  照明装置
７  キャビネット
【図１】
0003182369.tif 000003
【図２】
0003182369.tif 000004
【図３】
0003182369.tif 000005
【図４】
0003182369.tif 000006
【図５】
0003182369.tif 000007
【図６】
0003182369.tif 000008
【図７】
0003182369.tif 000009
【図８】
0003182369.tif 000010
【図９】
0003182369.tif 000011
【図１０】
0003182369.tif 000012